(57)【要約】【課題】  作業中に何らかの拍子で導電性部材が端子台５に触れてしまった場合でも、端子台カバー６によって絶縁性を保つことができる端子台カバー６を得る。【解決手段】  点灯装置１は、点灯回路を備える回路基板２と、回路基板２に実装され、内部に電極７を有するとともに、電極７と接続する電線１０を挿入するための端子台挿入孔５１ａを開口した端子台５と、端子台５の端子台挿入孔５１ａが形成された孔形成面を覆う面を有し、孔形成面を覆う面のうち、端子台挿入孔５１ａと対向する面の厚みを、端子台挿入孔５１ａと対向していない面の厚みよりも薄く形成した薄肉部４２ｂを有する端子台カバー２０と、を備えたので、作業中に何らかの拍子で入力端子台５ａのみに電線１０が接続されている点灯装置１の出力端子台５ｂに導電性部材が触れた場合でも、端子台カバー２０によって絶縁性を保つことができる。【選択図】          図４
2015106559.tif 000002
【特許請求の範囲】
【請求項１】
点灯回路を備える点灯基板と、
前記点灯基板に実装され、内部に電極を有するとともに、前記電極と接続する電線を挿入するための挿入孔を開口した端子台と、
前記端子台の前記挿入孔が形成された孔形成面を覆う面を有し、前記孔形成面を覆う面のうち、前記挿入孔と対向する面の厚みを、前記挿入孔と対向していない面の厚みよりも薄く形成した薄肉部を有する端子台カバーと、
を備えたことを特徴とする点灯装置。
【請求項２】
点灯回路を備える点灯基板と、
前記点灯基板に実装され、内部に電極を有するとともに、前記電極と接続する電線を挿入するための挿入孔を開口した端子台と、
前記端子台の前記挿入孔が形成された孔形成面を覆い、前記孔形成面を覆う面のうち、前記挿入孔と対向する面に、前記孔形成面を貫通する放射状の切込みを形成した端子台カバーと、
を備えたことを特徴とする点灯装置。
【請求項３】
前記端子台カバーは、
前記孔形成面を覆うカバー側面と、
前記カバー側面と一体成形され、前記挿入孔に挿入される円柱状の挿入部から形成されていることを特徴とする請求項１に記載の点灯装置。
【請求項４】
前記端子台カバーの前記挿入部の外周に、円環状のリブが間隔をあけて複数設けられていることを特徴とする請求項１に記載の点灯装置。
【請求項５】
前記端子台カバーの前記孔形成面のうち、前記挿入孔と対向する部分が前記孔形成面と別部材で形成されていることを特徴とする請求項１に記載の点灯装置。
【請求項６】
前記端子台カバーにおいて、
前記薄肉部は丸型形状とし、前記電線の直径よりも小さく形成されていることを特徴とする請求項１または３〜５のいずれかに記載の点灯装置。
【請求項７】
前記端子台カバーにおいて、
前記薄肉部に前記電線が挿入された場合に、前記薄肉部と前記電線との隙間が０．５ｍｍ未満になるよう、前記薄肉部を形成したことを特徴とする請求項１または３〜５のいずれかに記載の点灯装置。
【発明の詳細な説明】
【技術分野】
【０００１】
本発明は、例えば、端子台を備える点灯装置及び前記点灯装置を備える照明器具に関する。
【背景技術】
【０００２】
従来、点灯基板に実装された端子台に電線を接続する際の安全性を考慮し、電線の被覆を剥き過ぎてしまった場合でも、露出芯線が端子台から露出することのないよう、端子台を端子台カバーで覆うことで、端子台および端子台カバーに挿入される電線の距離を長くした点灯装置（端子台カバー）が提案されている。（例えば、特許文献１参照）
【先行技術文献】
【特許文献】
【０００３】
【特許文献１】特開２０１２−２８３１７号公報（第５頁、第３図）
【発明の概要】
【発明が解決しようとする課題】
【０００４】
しかしながら、従来の端子台カバーで覆った点灯装置では端子台カバーに電線を差し込むための孔が開口しているため、もし仮に、出力端子台に電線を挿入する前の入力端子台に電線が接続されている状態で、予期せず導電性部材が端子台に触れ、端子台の内部の電極に導電性部材が触れてしまった場合には、端子台カバーが絶縁の意味をなさないおそれがある。
【０００５】
本発明は上記のような課題を解決するためになされたもので、作業中に何らかの拍子で導電性部材が端子台に触れてしまった場合でも、端子台カバーによって絶縁性を保つことができ、端子台カバーには電線が挿入しやすい加工が施してあるため、端子台を端子台カバーによって覆ったとしても作業効率を維持することのできる、安全性の高く作業効率の低下しない端子台カバーを備えた点灯装置を提供することができる。
【課題を解決するための手段】
【０００６】
この発明に係る点灯装置は、点灯回路を備える点灯基板と、点灯基板に実装され、内部に電極を有するとともに、電極と接続する電線を挿入するための挿入孔を開口した端子台と、端子台の挿入孔が形成された孔形成面を覆う面を有し、孔形成面を覆う面のうち、挿入孔と対向する面の厚みを、挿入孔と対向していない面の厚みよりも薄く形成した薄肉部を有する端子台カバーと、を備えたことを特徴とする点灯装置を備えたものである。
【発明の効果】
【０００７】
本発明は端子台の電線を差し込むための孔を端子台カバーによって塞ぐため、作業中に何らかの拍子で入力端子台のみに電線が接続されている点灯装置の出力端子台に導電性部材が触れた場合でも、端子台カバーによって絶縁性を保つことができるので、作業者の安全性をより高くすることのできる、端子台カバーを備えた点灯装置を提供することができる。
【図面の簡単な説明】
【０００８】
【図１】本実施の形態１に係る点灯装置の斜視図である。
【図２】本実施の形態１に係る点灯装置の端子台カバーを外した状態を示す斜視図であり、点灯装置の一端側を拡大した拡大図である。
【図３】本実施の形態１に係る点灯装置の端子台および端子台カバーの断面図である。
【図４】本実施の形態１に係る点灯装置の端子台および端子台カバーに電線を接続した状態を示す断面図である。
【図５】本実施の形態１に係る点灯装置の端子台カバーの斜視図であり、（ａ）は端子台カバーの上面斜視図であり、（ｂ）は端子台カバーの下面斜視図である。
【図６】本実施の形態２に係る点灯装置の端子台および端子台カバーの断面図である。
【図７】本実施の形態２に係る点灯装置の端子台カバーの斜視図であり、（ａ）は端子台カバーの上面斜視図であり、（ｂ）は端子台カバーの下面斜視図である。
【図８】本実施の形態３に係る点灯装置の端子台および端子台カバーの断面図である。
【図９】本実施の形態３に係る点灯装置の端子台カバーの斜視図である。
【図１０】本実施の形態３に係る点灯装置の端子台カバーの別の形態を示す斜視図である。
【図１１】本実施の形態４に係る点灯装置の端子台および端子台カバーの断面図である。
【図１２】本実施の形態４に係る点灯装置の端子台カバーの斜視図である。
【図１３】本実施の形態５に係る点灯装置の端子台および端子台カバーの断面図である。
【図１４】本実施の形態５に係る点灯装置の端子台カバーの斜視図であり、（ａ）は端子台カバーの上面斜視図であり、（ｂ）は端子台カバーの下面斜視図である。
【発明を実施するための形態】
【０００９】
以下、本発明に係る点灯装置の好適な実施の形態について図を参照して説明する。なお、これらの実施の形態によって本発明が限定されることはない。
【００１０】
実施の形態１．
図１は、本実施の形態１に係る点灯装置１の斜視図を示すもの、図２は、本実施の形態１に係る点灯装置の端子台カバーを外した状態を示す斜視図であり、図３は、本実施の形態１に係る点灯装置の端子台および端子台カバーの断面図を示すもの、図４は、本実施の形態１に係る点灯装置の端子台および端子台カバーに電線を接続した状態を示す断面図であり、図５（ａ）は、本実施の形態１に係る点灯装置の端子台カバーの上面斜視図であり、図５（ｂ）は端子台カバーの下面斜視図である。
【００１１】
本実施の形態に係る点灯装置１は、照明器具（図示なし）の本体に取り付けられ、例えば、ＬＥＤ（Ｌｉｇｈｔ・Ｅｍｉｔｔｉｎｇ・Ｄｉｏｄｅ：発光ダイオード）等の光源（図示なし）を点灯させる点灯装置である。
【００１２】
点灯装置１は、図１に示すように、回路基板２と、回路基板２が収容される、上部が開口された点灯装置ケース３と、点灯装置ケース３の上部開口部を覆うように取り付けられる点灯装置カバー４とを備えている。
【００１３】
回路基板２は、電子部品が実装される長方形の基板であり、点灯装置ケース３の底部近傍に、点灯装置ケース３の底面と平行に取り付けられ、回路基板２の長手方向の一方の端部に入力端子台５ａを実装し、回路基板２の長手方向の他方の端部に出力端子台５ｂを実装している。また、回路基板２は、入力端子台５ａ、出力端子台５ｂが実装された両端面を除く回路基板２の中央面が、点灯装置カバー４によって覆われている。
【００１４】
入力端子台５ａは、商用電源ＡＣを回路基板２に入力する電線を接続する端子台であり、出力端子台５ｂは、回路基板２によって交流から直流に変換された電流を光源（図示せず）に出力する電線を接続する端子台であり、入力端子台５ａは入力端子台カバー６ａに覆われ、出力端子台５ｂは出力端子台カバー６ｂによって覆われている。
【００１５】
入力端子台５ａの構造と出力端子台５ｂの構造とは、ほぼ同じであるため、以下では入力端子台５ａと出力端子台５ｂとの区別をせず、端子台５と総称して説明する。同様に、入力端子台カバー６ａの構造と出力端子台カバー６ｂの構造がほぼ同じであるため、以下では入力端子台カバー６ａと出力端子台カバー６ｂとの区別をせず、端子台カバー６と総称して説明する。
【００１６】
次に、図２〜５を用いて、端子台５の構成について詳細に説明する。
【００１７】
端子台５は、端子台単品５０を二つ並べたものである。図３、図４に示すように、端子台単品５０はほぼ直方体形状をなしているが、回路基板２の長手方向外側（回路基板２の中心向きとは反対の向き）を向いている面は上側と下側とで奥行きの異なる段差が生じており、手前（回路基板２の中心向きとは反対の向き）に飛び出している上側の面を以下、端子台凸面５１という。
【００１８】
端子台凸面５１には、電線を端子台に挿入するための孔である端子台挿入孔５１ａが形成されており、端子台単品５０の天面５２には、端子台挿入孔５１ａに挿入された電線を引き出す際に使用する孔である、電線解除孔５２ａが形成されている。
【００１９】
また、端子台５は、内部に収納される電極７を備えている。電極７は、図３に示すように、電線と電気的に接続する内部電極８と、内部電極８内に収容され、電線を内部電極８に押し付けるための「Ｌ」字状のバネ部９を備えている。
【００２０】
図４に示すように、電極７に電線１０が挿入されると、電線１０が内部電極８とバネ部９の間に挟まれ、バネ部９が電線１０の先端の、被覆部１１を剥がして露出された露出芯線１２を内部電極８に押し付けることで、電線１０と端子台５が電気的に結合する。
【００２１】
露出芯線１２が内部電極８とバネ部９に挟まれ嵌合しているため、所定の強さまでの力であれば、電線１０を引っ張っても電線１０が端子台５から抜けることはない。
【００２２】
電線１０を端子台５から抜く場合には、端子台５の天面５２に形成された電線解除孔５２ａから、マイナスドライバーなどの工具を挿入し、バネ部９を押し下げ、バネ部９と内部電極８に挟まれていた電線１０を開放させることで、電線１０を端子台５から引き抜くことが可能になる。
【００２３】
次に、図３〜図５を用いて、端子台カバー６の構成について詳細に説明する。
【００２４】
端子台カバー６はシリコン樹脂のような弾性を持つ絶縁性材料によって形成され、図３に示すように、端子台５を覆うように取り付けられ、端子台５の端子台凸面５１を覆うカバー側面６１および、端子台５の天面５２を覆うカバー天面６２の２つの面を有している。
【００２５】
また、端子台カバー６には、図５に示すように、端子台カバー６の位置を固定し端子台５から容易に外れないよう、３組の凸部、カバー凸部６３、接触部６４、スライド規制部６５が形成されている。
【００２６】
カバー凸部６３は、端子台カバー６のカバー側面６１の下端部から端子台５側方向に突出した凸部であり、端子台カバー６が端子台５に取り付けられた際に、カバー凸部６３が、端子台５の端子台凸面５１の下部の段差に係止されるように形成され、端子台凸面５１の上下をカバー天面６２とカバー凸部６３によって挟むことにより、端子台カバー６が端子台５の上下方向にずれるのを防止している。
【００２７】
接触部６４は、端子台カバー６のカバー天面６２の端部から端子台５方向に突出した凸部であり、端子台カバー６が端子台５に取り付けられたときに、接触部６４の側面が、端子台５の側面に接触するように形成され、端子台５の天面５２をカバー側面６１と接触部６４によって挟むことにより、回路基板２の長手方向にずれるのを防止している。
【００２８】
スライド規制部６５は、カバー天面６２の両側の側部の一部から下方に突出した凸部であり、端子台カバー６が端子台５に取り付けられたときに、端子台５の回路基板２の短手方向両端の側面に接触するように形成され、スライド規制部６５が端子台５の回路基板２の短手方向両端の側面に接触することにより、端子台５の天面５２を二つのスライド規制部６５によって挟むことにより、端子台カバー６が回路基板２の短手方向にずれるのを防止している。
【００２９】
なお、端子台カバー６全体の大きさを端子台５全体の大きさよりも若干小さくし、カバー天面６２、カバー側面６１、接触部６４、カバー凸部６３の全体で端子台を収めるようにすれば、スライド規制部６５がなくとも、カバー凸部６３と接触部６４の二点の凸部で端子台カバー６の位置を固定することが可能である。二点の凸部の組み合わせはカバー凸部６３とスライド規制部６５、接触部６４とスライド規制部６５の組み合わせであっても端子台カバー６の位置を固定することが可能である。
【００３０】
さらに、図３に示すように、端子台カバー６のカバー側面６１の表面には、端子台挿入孔５１ａと対向する位置に、カバー凹部６１ａが形成されており、カバー側面６１のカバー凹部６１ａが形成されている箇所の厚みは、カバー凹部６１ａが形成されていない箇所の厚みよりも薄くなっている。カバー側面６１のカバー凹部６１ａが形成されている箇所（以下、薄肉部６１ｂという。）は、電線１０を貫通させるため、電線１０によって突き破ることができる、例えば０．５ｍｍの厚みにすることが望ましい。
【００３１】
カバー凹部６１ａは円柱形状をしており、図４に示すように、電線１０が挿入された場合に電線１０の被覆部１１と薄肉部６１ｂが密着するよう、カバー凹部６１ａの内径は、電線１０の被覆部１１の外径よりも若干短い寸法をしている。
【００３２】
なお、カバー凹部６１ａの断面形状は、丸孔に限らず角孔等どのような形状でも良いが、カバー凹部６１ａの大きさは、電線１０が挿入された場合に、電線１０の被覆部１１とカバー凹部６１ａとの隙間が０．５ｍｍ未満になる大きさにすることが望ましい。
【００３３】
また、端子台カバー６のカバー天面６２には、図５に示すように、端子台５の天面５２側に設けられた電線解除孔５２ｂと対向する位置に、電線解除孔５２ｂと連通するカバー解除孔６２ａを備えている。
【００３４】
次に、端子台５と電線１０を接続させる際の動作について説明する。
まず、電線１０の露出芯線１２を、端子台カバー６のカバー側面６１のカバー凹部６１ａが形成されている箇所に突き刺す。
【００３５】
そして、電線１０を端子台５側へ押し込み、電線１０をカバー側面６１に貫通させ、露出芯線１２が端子台５に挿入されるまで押し込む。すると、露出芯線１２が内部電極８とバネ部９との間に挿入され、バネ部９が露出芯線１２を内部電極８に押し付け嵌合し、端子台５と電線１０を電気的に接続させることができる。
【００３６】
なお、本実施例で示すカバー凹部６１ａは図３に示すようにカバー側面６１の表面側に形成されているが、カバー凹部６１ａが端子台５側に形成されていても同様の効果を得ることができる。その場合も、薄肉部６１ｂの厚みは、電線１０を貫通させるため、電線１０によって突き破ることができる程度の厚みにすることが望ましい。
【００３７】
以上のように、端子台を覆う端子台カバーによって、端子台の端子台挿入孔を覆うので、端子台に電線を挿入する前の段階でも、導電性部材が端子台の電極にふれてしまうといったトラブルを回避することができる。また、端子台カバーには電線が挿入しやすい加工が施してあるため、端子台を端子台カバーによって覆ったとしても作業効率を維持することができる。
【００３８】
よって、本実施の形態１では、作業効率を維持し、絶縁性を維持することができる安全性の高い端子台カバーを備えた点灯装置を提供することができる。
【００３９】
実施の形態２．
実施の形態１では端子台に電線を接続する際、端子台を覆う端子台カバーを突き破る必要があるため、端子台カバーの側面を突き破るための力が作業者の負担となった。そこで、実施の形態２では、作業効率を上昇させ、安全性を高めることができる端子台カバーを備えた点灯装置について説明する。
【００４０】
本発明の実施の形態２に係る端子台カバーについて図６〜７を用いて説明する。図７は、本実施の形態２に係る点灯装置の端子台および端子台カバーに電線を接続した状態を示す断面図であり、図７（ａ）は、本実施の形態２に係る点灯装置の端子台カバーの上面斜視図であり、図７（ｂ）は、端子台カバーの下面斜視図を示すものである。
【００４１】
この実施の形態２が実施の形態１と異なるのは、端子台カバーの形状を変更した点である。その他の構成については実施の形態１と同一または同等であり、実施の形態１と同一又は同等な構成部分については同一符号を付し、その説明を省略する。
【００４２】
端子台カバー２０はシリコン樹脂のような弾性を持つ絶縁性材料によって形成され、図６に示すように、端子台５を覆うように取り付けられている。端子台カバー２０は、端子台５の端子台凸面５１を覆うカバー側面２１および、端子台５の天面５２を覆うカバー天面２２の２つの面を有している。
【００４３】
また、端子台カバー２０には、図７に示すように、端子台５とのずれを防止するための３組の凸部、カバー凸部２３、接触部２４、スライド規制部２５が形成されている。
【００４４】
カバー凸部２３は、端子台カバー２０のカバー側面２１の下端部から端子台５側方向に突出した凸部であり、端子台カバー２０が端子台５に取り付けられた際に、カバー凸部２３が、端子台５の端子台凸面５１の下部の段差に係止されるように形成され、端子台凸面５１の上下をカバー天面２２とカバー凸部２３によって挟むことにより、端子台カバー２０が端子台５の上下方向にずれるのを防止している。
【００４５】
接触部２４は、端子台カバー２０のカバー天面２２の端部から端子台５方向に突出した凸部であり、端子台カバー２０が端子台５に取り付けられたときに、接触部２４の側面が、端子台５の側面に接触するように形成され、端子台５の天面５２をカバー側面２１と接触部２４によって挟むことにより、回路基板２の長手方向にずれるのを防止している。
【００４６】
スライド規制部２５は、カバー天面６２の両側の側部の一部から下方に突出した凸部であり、端子台カバー２０が端子台５に取り付けられたときに、端子台５の回路基板２の短手方向両端の側面に接触するように形成され、スライド規制部２５が端子台５の回路基板２の短手方向両端の側面に接触することにより、端子台５の天面５２を二つのスライド規制部２５によって挟むことにより、端子台カバー２０が回路基板２の短手方向にずれるのを防止している。
【００４７】
なお、端子台カバー２０全体の大きさを端子台５全体の大きさよりも若干小さくし、カバー天面２２、カバー側面２１、接触部２４、カバー凸部２３の全体で端子台を収めるようにすれば、スライド規制部２５がなくとも、カバー凸部２３と接触部２４の二点の凸部で端子台カバー位置を固定することが可能である。二点の凸部の組み合わせはカバー凸部２３とスライド規制部２５、接触部２４とスライド規制部２５の組み合わせであっても端子台カバー位置を固定することが可能である。
【００４８】
端子台カバー２０のカバー側面２１には、端子台挿入孔５１ａに対向する位置に、放射状の切込み部２１ａが形成されている。切込み部２１ａはカバー側面２１を貫通する切込みであり、切込み部２１ａの大きさは、電線１０の被服部１１の直径よりも若干小さく形成されている。
【００４９】
なお、切込み部２１ａの大きさは、電線１０の被服部１５の直径よりも大きく形成されていてもよいが、その場合は、電線１０が切込み部２１ａに挿入された場合に、電線１０の被覆部１１と電線１０が挿入されたことによって拡がる切込み部２１ａとの隙間が０．５ｍｍ未満になる大きさにすることが望ましい。
【００５０】
また、端子台カバー２０のカバー天面２２には、図６に示すように、端子台５の天面５２側に設けられた電線解除孔５２ａに対応する位置に、電線解除孔５２ａと連通する解除孔２３を備えている。
【００５１】
次に、端子台５と電線１０を接続させる際の動作について説明する。
まず、電線１０を端子台カバー２０の切込み部２１ａに挿入し、電線１０を端子台５側へ押し込む。すると、切込み部２１ａが変形し、電線１０が端子台カバー２０の側面を挿通可能な幅（端子台挿入孔５１ａの直径に相当する幅）まで拡がり、電線１０が切込み部２１ａを挿通して端子台挿入孔５１ａ内に入り込む。
【００５２】
そして、露出芯線１２が内部電極８とバネ部９との間に挿入され、バネ部９が露出芯線１２を内部電極８に押し付け嵌合し、端子台５と電線１０を電気的に接続させることができる。
【００５３】
以上のように、本実施の形態２は、端子台を覆う端子台カバーに開口した電線挿入孔５１ａを端子台カバーによって覆い、端子台カバーの電線挿入孔５１ａに対向した面には切込みを設けたので、端子台に電線を挿入する前の段階でも、導電性部材が端子台の電極にふれてしまうといったトラブルを回避することができ、端子台に電線を挿入させる際に、端子台カバーを突き破る力が必要ない。
【００５４】
さらに、実施の形態１の形態では、カバー側面に一度電線を貫通させると、孔が開いてしまうため、電線を一度刺し誤ることでカバー側面の破れ目の隙間から端子台の電極が表れてしまい絶縁性が多少低下するおそれがあるが、本実施の形態においては、はじめからカバー側面に切込みが設けられ、電線を貫通させた後でも破れ目をつくることなく、前の状態を維持するため、電線を何度貫通させても絶縁性を維持することができる。
【００５５】
よって、実施の形態２では、作業効率を高め、絶縁性を維持することができる安全性の高い端子台カバーを備えた点灯装置を提供することができる。
【００５６】
実施の形態３．
実施の形態１、２では端子台を覆う端子台カバーに電線を挿入させる例について説明したが、本実施例では、端子台カバーに電線を挿入させること以外の方法を用いて端子台に電線を挿入させる例について説明する。
【００５７】
本発明の実施の形態３に係る端子台カバーについて図８〜９を用いて説明する。図８は、本発明の実施の形態３に係る点灯装置の端子台および端子台カバーに電線を接続した状態を示す断面図であり、図９は本発明の実施の形態３に係る点灯装置の端子台カバーの斜視図を示すもの、図１０は本発明の実施の形態３に係る別の端子台カバーを示す図である。
【００５８】
この実施の形態３が実施の形態１と異なるのは、端子台カバーの形状を変更した点である。その他の構成については実施の形態１と同一または同等であり、実施の形態１と同一又は同等な構成部分については同一符号を付し、その説明を省略する。
【００５９】
端子台カバー３０はシリコン樹脂のような弾性を持つ絶縁性材料によって形成され、図８に示すように、端子台５の端子台凸面５１を覆うように取り付けられる。
【００６０】
端子台カバー３０は、端子台凸面５１を覆うカバー側面３１および、カバー側面３１から端子台単品５０それぞれに開口した端子台挿入孔５１ａにそれぞれに挿入される円柱状の挿入部３２を二つ備えており、挿入部３２の外径は、端子台挿入孔５１ａよりも若干大きく形成され、端子台挿入孔５１ａに取付けられた後容易に外れないよう固定されている。
【００６１】
二つの挿入部３２はカバー側面３１と一体成形されているため、端子台カバー３１は、実施の形態１、２に示すような、複数の凸部がなくても端子台カバー３１を端子台５に固定することができる。
【００６２】
また、それぞれの挿入部３２の内部には、カバー側面３１の表面まで貫通する円柱状の挿入孔３２ａが形成されており、挿入部３２とカバー側面３１の境目には、挿入孔３２ａのカバー側面３１方向への貫通を防ぐために壁部（薄肉部）３１ａが設けられている。
【００６３】
壁部（薄肉部）３１ａとカバー側面３１と二つの挿入部３２は一体成形されており、壁部（薄肉部）３１ａの厚みは、電線１０を貫通させるため、電線１０によって突き破ることができる厚みが形成され、例えば０．５ｍｍの厚みに形成されている。
【００６４】
挿入部３２の内部を貫通する挿入孔３２ａの内径は、電線１０の被覆部１１と挿入孔３２ａが密着するよう、被覆部１１を施されている電線１０の外径よりも若干小さく形成されている。
【００６５】
電線１０の被覆部１１と挿入孔３２ａを密着させない場合には、挿入孔３２ａの内径は、電線１０が挿入された場合に、電線１０の被覆部１１と挿入孔３２ａとの隙間が０．５ｍｍ未満になる大きさにすることが望ましい。
【００６６】
次に、端子台５と電線１０を接続させる際の動作について説明する。
まず、電線１０の露出芯線１２を、端子台カバー３のカバー側面３１の挿入部３２が形成されている箇所に突き刺す。
【００６７】
そして、電線１０を端子台５側へ押し込み、電線１０をカバー側面３１の壁部（薄肉部）３１ａに貫通させ、露出芯線１２が端子台５に挿入されるまで押し込む。すると、露出芯線１２が挿入孔３２ａを通り、内部電極８とバネ部９との間に挿入され、バネ部９が露出芯線１２を内部電極８に押し付け嵌合し、端子台５と電線１０を電気的に接続させることができる。
【００６８】
以上のように、端子台の端子台挿入孔に挿入する挿入部を設けた端子台カバーを備えているので、端子台に電線を挿入する前の段階でも、導電性部材が端子台の電極にふれてしまうといったトラブルを回避することができる、安全性の高い端子台カバーを提供することができる。また、実施の形態１に示す端子台カバーに比べて端子台カバーの面積が少ないので、材料費を削減でき、コストを安く仕上げることができる。
【００６９】
よって、本実施の形態３は、コストが安く、安全性の高い端子台カバーを備えた点灯装置を提供することができる。
【００７０】
また、図８において、挿入孔３２ａに設けられている壁部（薄肉部）３１ａは、挿入部３２とカバー側面３１の境目に設けられているが、これに限らず、挿入部３２の端子台５側の先端面から、カバー側面３１の端子台５と反対側の表面の間であればどの位置に設けても実施の形態３と同様の効果が得られる。しかし、壁部（薄肉部）３１ａの厚みは、挿入部３２の端子台側の先端を電線１０によって突き破ることができる、例えば０．５ｍｍの厚みの壁でなければならない。
【００７１】
また、本実施の形態３では、端子台単品５０を二つもつ端子台５に合わせて端子台カバー３０に挿入部を二つ設けたが、端子台単品の数に合わせて、端子台カバーの閉塞部の数を変更させてもよく、端子台単品の数が異なる端子台にも流用使用できるよう、図１０に示すようなカバー側面３１にひとつだけ挿入部３２が形成された端子台カバーを、端子台単品の数だけ使用してもよい。
【００７２】
実施の形態４．
実施の形態３では端子台全体を覆うことなく、端子台凸面だけを覆い、端子台の電線挿入孔３２ａに挿入される円筒状の挿入部を備えた端子台カバーについて説明したが、実施の形態３で示した挿入部の形状を、次から説明する形態にしても同様の効果が得られる。
【００７３】
本発明の実施の形態４に係る端子台カバーについて図１１〜１２を用いて説明する。図１１は、本発明の実施の形態４に係る点灯装置の端子台および端子台カバーに電線を接続した状態を示す断面図であり、図１２は本発明の実施の形態４に係る点灯装置の端子台カバーの斜視図を示すものである。
【００７４】
この実施の形態４が実施の形態３と異なるのは、端子台カバーの挿入部の形状を変更した点である。その他の構成については実施の形態１と同一または同等であり、実施の形態１と同一又は同等な構成部分については同一符号を付し、その説明を省略する。
【００７５】
本実施の形態４において、端子台カバー４０はシリコン樹脂のような弾性を持つ絶縁性材料によって形成され、図１１に示すように、端子台５の端子台凸面５１を覆うように取り付けられ、端子台凸面５１を覆うカバー側面４１および、
端子台単品５０それぞれに開口した端子台挿入孔５１ａにそれぞれに挿入される円筒状の挿入部４２を二つ備えている。挿入部４２の外径は、端子台挿入孔５１ａの内径よりも小さく形成されており、挿入部４２の外周には、円環状のリブ４３が間隔をあけて２つ設けられている。
【００７６】
リブ４３は、挿入部４２が端子台挿入孔５１ａに挿入された際に、端子台挿入孔５１ａと挿入部４２の隙間を塞ぐとともに、挿入部４２を端子台挿入孔５１ａに固定する役割を果たしており、リブ４３の外径は、端子台挿入孔５１ａの内径よりも大きく形成されている。なお、カバー側面３１およびリブ４３を備えた挿入部４２は一体成形されており、切り離すことのできない一体ものである。
【００７７】
また、挿入部４２の内部には、カバー側面４１の表面まで貫通する貫通孔４２ａが設けられており、貫通孔４２ａにおける挿入部４２とカバー側面４１との境目には、貫通孔４２ａを閉塞させる壁部（薄肉部）４２ｂが形成されている。
【００７８】
挿入部４２の内部を貫通する貫通孔４２ａの内径は、被服１５を施されている電線１０の外径よりも大きく形成されており、貫通孔４２ａの内径と電線１０の外径の隙間は０．５ｍｍ未満である。もしも、より絶縁性を高めたいのであれば、貫通孔４２ａの内径を、電線１０の被覆部１１と貫通孔４２ａが密着するよう、被服１５を施されている電線１０の外径よりも若干小さな径にすることが望ましい。
【００７９】
また、壁部（薄肉部）４２ｂの厚みは、カバー側面４１の厚みよりも薄く形成され、端子台カバー４０に覆われた端子台５に電線１０を接続する場合、電線１０の先端を壁部（薄肉部）４２ｂに突き刺し、壁部（薄肉部）４２ｂを貫通させて電極７に到達させるため、壁部（薄肉部）４２ｂは、電線１０によって突き破ることができる、例えば０．５ｍｍの厚みにすることが望ましい。
【００８０】
以上のように、本実施の形態４は、端子台の端子台挿入孔を閉塞する壁部を設けた端子台カバーを備えているので、端子台に電線を挿入する前の段階でも、導電性部材が端子台の電極にふれてしまうといったトラブルを回避することができる、安全性の高い端子台カバーを提供することができる。また、実施の形態１に示す端子台カバーに比べて端子台カバーの面積が少ないので、材料費を削減でき、コストを安く仕上げることができる。
【００８１】
よって、本実施の形態４は、実施の形態３と同様、コストが安く、安全性の高い端子台カバーを提供することができる。
【００８２】
また、図１１において、挿入孔４２ａに設けられている壁部（薄肉部）４２ｂは、挿入部４２とカバー側面４１の境目に設けられているが、これに限らず、挿入部４２の端子台５側の先端面から、カバー側面４１の端子台５と反対側の表面の間であればどの位置に設けても実施の形態３と同様の効果が得られる。しかし、壁部（薄肉部）４２ｂの厚みは、挿入部４２の端子台側の先端を電線１０によって突き破ることができる、例えば０．５ｍｍの厚みの壁でなければならない。
【００８３】
また、本実施の形態４では、端子台単品５０を二つもつ端子台５に合わせて端子台カバー３０に挿入部を二つ設けたが、端子台単品の数に合わせて、端子台カバーの閉塞部の数を変更させてもよく、端子台単品の数が異なる端子台にも流用使用できるよう、カバー側面４１にひとつだけ挿入部４２が形成された端子台カバーを、端子台単品の数だけ使用してもよい。
【００８４】
実施の形態５．
実施の形態１〜４では端子台挿入孔を塞ぐ部材が端子台カバーと一体ものである端子台カバーを説明したが、これに限らず、端子台カバーと端子台挿入孔を塞ぐ部材が別部材である、次から説明する形態にしても同様の効果が得られる。
【００８５】
本発明の実施の形態５に係る端子台カバーについて図１３〜１４を用いて説明する。図１３は、本実施の形態５に係る点灯装置の端子台および端子台カバーに電線を接続した状態を示す断面図であり、図１４（ａ）は、本実施の形態５に係る点灯装置の端子台カバーの上面斜視図を示すもの、図１４（ｂ）は、本実施の形態５に係る点灯装置の端子台カバーの下面斜視図を示すものである。
【００８６】
この実施の形態５が実施の形態１と異なるのは、端子台カバーの、端子台挿入孔を塞ぐ部材を別部材にした点である。その他の構成については実施の形態１と同一または同等であり、実施の形態１と同一又は同等な構成部分については同一符号を付し、その説明を省略する。
【００８７】
端子台カバー６０はプラスチック部材（より具体的な名称にする？）のような弾性の少ない絶縁性材料によって形成され、図１３に示すように、端子台５を覆うように取り付けられ、端子台５の端子台凸面５１を覆うカバー側面６１および、端子台５の天面５２を覆うカバー天面６２の２つの面を有している。
【００８８】
また、端子台カバー６０には、図１４（ａ）に示すように、端子台カバー６０の位置を固定し端子台５から容易に外れないよう、３組の凸部、カバー凸部６３、接触部６４、スライド規制部６５が形成されている。
【００８９】
また、端子台カバー６０のカバー天面６２には、図１４（ａ）に示すように、端子台５の天面５２側に設けられた電線解除孔５２ｂと対向する位置に、電線解除孔５２ｂと連通するカバー解除孔６２ａを備えている。
【００９０】
さらに、図１３に示すように、端子台カバー６０のカバー側面６１の表面には、端子台挿入孔５１ａと対向する位置に、端子台カバー６０を貫通する断面丸型の貫通孔６１ｂが二つ形成されている。貫通孔６１ｂの直径は、図４で示した実施の形態１の様子と同様に、電線１０の被服部１１の直径よりも大きく形成されている。
【００９１】
また、カバー側面６１の端子台５側の面には、図１４（ｂ）に示すように、長方形の孔カバー７０が貼付されている。孔カバー７０はシリコン樹脂のような弾性をもつ絶縁性材料によって形成され、カバー側面６１の端子台５側の面に接着剤によって貼られ、貫通孔６１ｂを塞いでいる。孔カバー７０の厚みは、カバー側面６１の厚みよりも薄く形成されており、電線１０によって突き破ることができる、例えば０．５ｍｍの厚みにすることが望ましい。
【００９２】
次に、端子台５と電線１０を接続させる際の動作について説明する。
まず、電線１０の露出芯線１２を、端子台カバー６０の貫通孔６１ｂに挿入し、孔カバー６１ｃに突き刺す。
【００９３】
そして、電線１０を端子台５側へ押し込み、電線１０で孔カバー７０を貫通させ、露出芯線１２が端子台５に挿入されるまで押し込む。すると、露出芯線１２が内部電極８とバネ部９との間に挿入され、バネ部９が露出芯線１２を内部電極８に押し付け嵌合し、端子台５と電線１０を電気的に接続させることができる。
【００９４】
なお、本実施例で示す孔カバー６１ｃはカバー側面６１の端子台５側の面に貼付されているが、カバー側面６１の端子台５側とは反対側の面に貼付させたり、貫通孔６１ｂの途中で挿入させたりしても同様の効果が得られる。
【００９５】
以上のように、端子台カバーに貼付の孔カバーによって、端子台の端子台挿入孔を覆うので、端子台に電線を挿入する前の段階でも、導電性部材が端子台の電極にふれてしまうといったトラブルを回避することができる。また、材料それぞれの長所をとりいれ、端子台カバーと端子台挿入孔を覆う孔カバーを別材料で形成したため、端子台に嵌めやすく、電線を挿入しやすい、使い勝手の良い端子台カバーとなる。
【００９６】
よって、本実施の形態５は、使い勝手が良く、安全性の高い端子台カバーを提供することができる。
【００９７】
なお、本実施の形態１〜５では、端子台は２つの端子台単品を備えているが、これに限らず、端子台単品の数を４つ備えた端子台や２０個備えた端子台でも、端子台単品の数に限らず、端子台を覆う端子台カバーをように形成すれば同様の効果が得られる。
【符号の説明】
【００９８】
１  点灯装置、２  回路基板、３  点灯装置ケース、４  点灯装置カバー、５  端子台、５ａ  入力端子台、５ｂ  出力端子台、５０  端子台単品、５１  端子台凸面、５１ａ  端子台挿入孔、５２  天面、５２ａ  電線解除孔、６  端子台カバー、６ａ  入力端子台カバー、６ｂ  出力端子台カバー、６１  カバー側面、６１ａ  カバー凹部、６１ｂ  薄肉部、６２  カバー天面、６３  カバー凸部、６４  接触部、６５  スライド規制部、７  電極、８  内部電極、９  バネ部、１０  電線、１１  被服部、１２  露出芯線、２０  端子台カバー、２１  カバー側面、２１ａ  切込み部、２２  カバー天面、２２ａ  電線解除孔、２３  カバー凸部、２４  接触部、２５  スライド規制部、３０  端子台カバー、３１  カバー側面、３１ａ  壁部（薄肉部）、３２  挿入部、３２ａ  挿入孔、４０  端子台カバー、４１  カバー側面、４２  挿入部、４２ａ  貫通孔、４２ｂ  壁部（薄肉部）、４３  リブ、６０  端子台カバー、６１ｂ  貫通孔、７０  孔カバー。
【図１】
2015106559.tif 000003
【図２】
2015106559.tif 000004
【図３】
2015106559.tif 000005
【図４】
2015106559.tif 000006
【図５】
2015106559.tif 000007
【図６】
2015106559.tif 000008
【図７】
2015106559.tif 000009
【図８】
2015106559.tif 000010
【図９】
2015106559.tif 000011
【図１０】
2015106559.tif 000012
【図１１】
2015106559.tif 000013
【図１２】
2015106559.tif 000014
【図１３】
2015106559.tif 000015
【図１４】
2015106559.tif 000016